(57)【要約】【課題】  スマートアンテナの設置位置の最適化を迅速に行うことができるテレビジョン受信システムの提供を課題とする。【解決手段】  本発明において、デジタルチャンネル／アナログチャンネルの一方のみについてのスキャン結果に基づいて、使用者はスマートアンテナユニット１０の設置位置の適否を判断することができる。すなわち、使用者はデジタルＣｈ／アナログＣｈ双方についてのスキャン結果を待つ必要はなく、待ち時間を短縮することができる。【選択図】  図６
2005354614.tif 000002
【特許請求の範囲】
【請求項１】
複数の可変指向方向を有するスマートアンテナと、
同スマートアンテナにおける同指向方向を切り換えるアンテナコントロール部と、同スマートアンテナにて受信した周波信号から所望の周波数成分を抽出するチューナ部と、同チューナ部にて抽出されたデジタル信号から映像信号を生成するデジタル再生部と、同チューナ部にて抽出されたアナログ信号から映像信号を生成するアナログ再生部とを備えるチューナとからなるテレビジョン受信システムにおいて、
上記チューナは、
上記チューナ部が抽出する周波数帯域をシフトさせつつ、同抽出された周波数成分に含まれるデジタル信号をスキャンすることにより受信可能なチャンネルと、当該チャンネルの受信に好適な上記指向方向を検出するデジタルチャンネル検出手段と、
上記チューナ部が抽出する周波数帯域をシフトさせつつ、同抽出された周波数成分に含まれるアナログ信号をスキャンすることにより受信可能なチャンネルと、当該チャンネルの受信に好適な上記指向方向を検出するアナログチャンネル検出手段と、
上記デジタルチャンネル検出手段と上記アナログチャンネル検出手段のいずれか一方を実行させる第一の検出実行手段と、
上記第一の検出実行手段にて検出されたチャンネル数を使用者に伝達する伝達手段と、
使用者による同チャンネル数に満足するか否かの入力を受け付け、
満足する場合には、
同第一の検出実行手段にて実行されなかった上記デジタルチャンネル検出手段または上記アナログチャンネル検出手段を実行させ、
満足しない場合には、
使用者に上記スマートアンテナの移動を促し、使用者による同スマートアンテナを移動させたことを確認する入力が受け付けられたとき、再度上記第一の検出実行手段による検出を行わせる第二の検出実行手段と、
上記第一の検索実行手段および上記第二の検索実行手段において検出されたチャンネルと周波数と当該チャンネルの受信に好適な上記指向方向との対応関係を上記チューナ部が選局の際に読み出して使用する選局データとして記憶する選局データ記憶手段とを具備することを特徴とするテレビジョン受信システム。
【請求項２】
複数の可変指向方向を有するスマートアンテナと、
同スマートアンテナにおける同指向方向を切り換えるアンテナコントロール部と、同スマートアンテナにて受信した周波信号から所望の周波数成分を抽出するチューナ部と、同チューナ部にて抽出されたデジタル信号から映像信号を生成するデジタル再生部と、同チューナ部にて抽出されたアナログ信号から映像信号を生成するアナログ再生部とを備えるチューナとからなるテレビジョン受信システムにおいて、
上記チューナは、
上記チューナ部が抽出する周波数帯域をシフトさせつつ、同抽出された周波数成分に含まれるデジタル信号をスキャンすることにより受信可能なチャンネルを検出するデジタルチャンネル検出手段と、
上記チューナ部が抽出する周波数帯域をシフトさせつつ、同抽出された周波数成分に含まれるアナログ信号をスキャンすることにより受信可能なチャンネルを検出するアナログチャンネル検出手段と、
上記デジタルチャンネル検出手段と上記アナログチャンネル検出手段のいずれか一方を実行させる第一の検出実行手段と、
上記第一の検出実行手段にて検出された検出結果を使用者に伝達する伝達手段と、
使用者による同検出結果に満足するか否かの入力を受け付け、満足する場合には、同第一の検出実行手段にて実行されなかった上記デジタルチャンネル検出手段または上記アナログチャンネル検出手段を実行させる第二の検出実行手段とを具備することを特徴とするテレビジョン受信システム。
【請求項３】
上記伝達手段は上記第一の検出実行手段にて検出されたチャンネル数を使用者に伝達するとともに、
上記第二の検出実行手段は、使用者による同チャンネル数に満足するか否かの入力を受け付け、満足する場合には、同第一の検出実行手段にて実行されなかった上記デジタルチャンネル検出手段または上記アナログチャンネル検出手段を実行させることを特徴とする請求項２に記載のテレビジョン受信システム。
【請求項４】
上記第二の検出実行手段は、使用者による同チャンネル数に満足するか否かの入力を受け付け、満足しない場合には使用者に上記スマートアンテナの移動を促すことを特徴とする請求項３に記載のテレビジョン受信システム。
【請求項５】
上記第二の検出実行手段が使用者に上記スマートアンテナの移動を促した場合に、同第二の検出実行手段は使用者による同スマートアンテナを移動させたことを確認する入力を受け付け、同確認する入力が受け付けられたとき、再度上記第一の検出実行手段による検出を行うことを特徴とする請求項４に記載のテレビジョン受信システム。
【請求項６】
上記第一の検索実行手段は、スキャンに要する時間の短い上記デジタルチャンネル検出手段または上記アナログチャンネル検出手段を実行させることを特徴とする請求項２から請求項５のいずれかに記載のテレビジョン受信システム。
【請求項７】
上記第一の検索実行手段および上記第二の検索実行手段において検出されたチャンネルと周波数との対応関係を上記チューナ部が選局の際に読み出して使用する選局データとして記憶する選局データ記憶手段を具備することを特徴とする請求項２から請求項６のいずれかに記載のテレビジョン受信システム。
【請求項８】
上記デジタルチャンネル検出手段は、上記チューナ部が抽出する周波数帯域をシフトさせつつ、同抽出された周波数成分に含まれるデジタル信号をスキャンすることにより受信可能なチャンネルと、当該チャンネルの受信に好適な上記指向方向を検出するとともに、
上記アナログチャンネル検出手段は、上記チューナ部が抽出する周波数帯域をシフトさせつつ、同抽出された周波数成分に含まれるアナログ信号をスキャンすることにより受信可能なチャンネルと、当該チャンネルの受信に好適な上記指向方向を検出することを特徴とする請求項２から請求項７のいずれかに記載のテレビジョン受信システム。
【請求項９】
上記選局データ記憶手段は、上記第一の検索実行手段および上記第二の検索実行手段において検出されたチャンネルと周波数と当該チャンネルの受信に好適な上記指向方向との対応関係を上記選局データとして記憶することを特徴とする請求項７または請求項８のいずれかに記載のテレビジョン受信システム。
【請求項１０】
複数の可変指向方向を有するスマートアンテナの同指向方向を切り換えるアンテナコントロール部と、同スマートアンテナにて受信した周波信号から所望の周波数成分を抽出するチューナ部と、同チューナ部にて抽出されたデジタル信号から映像信号を生成するデジタル再生部と、同チューナ部にて抽出されたアナログ信号から映像信号を生成するアナログ再生部とを具備するチューナにおいて、
上記チューナ部が抽出する周波数帯域をシフトさせつつ、同抽出された周波数成分に含まれるデジタル信号をスキャンすることにより受信可能なチャンネルを検出するデジタルチャンネル検出手段と、
上記チューナ部が抽出する周波数帯域をシフトさせつつ、同抽出された周波数成分に含まれるアナログ信号をスキャンすることにより受信可能なチャンネルを検出するアナログチャンネル検出手段と、
上記デジタルチャンネル検出手段と上記アナログチャンネル検出手段のいずれか一方を実行させる第一の検出実行手段と、
上記第一の検出実行手段にて検出された検出結果を使用者に伝達する伝達手段と、
使用者による同検出結果に満足するか否かの入力を受け付け、満足する場合には、同第一の検出実行手段にて実行されなかった上記デジタルチャンネル検出手段または上記アナログチャンネル検出手段を実行させる第二の検出実行手段とを具備することを特徴とするチューナ。
【請求項１１】
複数の可変指向方向を有するスマートアンテナの同指向方向を切り換えるアンテナコントロール部と、同スマートアンテナにて受信した周波信号から所望の周波数成分を抽出するチューナ部と、同チューナ部にて抽出されたデジタル信号から映像信号を生成するデジタル再生部と、同チューナ部にて抽出されたアナログ信号から映像信号を生成するアナログ再生部とを用いて行われるテレビジョン受信方法において、
上記チューナ部が抽出する周波数帯域をシフトさせつつ、同抽出された周波数成分に含まれるデジタル信号をスキャンすることにより受信可能なチャンネルを検出するデジタルチャンネル検出工程と、
上記チューナ部が抽出する周波数帯域をシフトさせつつ、同抽出された周波数成分に含まれるアナログ信号をスキャンすることにより受信可能なチャンネルを検出するアナログチャンネル検出工程と、
上記デジタルチャンネル検出工程と上記アナログチャンネル検出工程のいずれか一方を実行させる第一の検出実行工程と、
上記第一の検出実行工程にて検出された検出結果を使用者に伝達する伝達工程と、
使用者による同検出結果に満足するか否かの入力を受け付け、満足する場合には、同第一の検出実行工程にて実行されなかった上記デジタルチャンネル検出工程または上記アナログチャンネル検出工程を実行させる第二の検出実行工程とを具備することを特徴とするテレビジョン受信方法。
【発明の詳細な説明】
【技術分野】
【０００１】
本発明は、テレビジョン受信システム、チューナおよびテレビジョン受信方法に関する。
【背景技術】
【０００２】
従来、この種のテレビジョン受信システムとして、デジタル放送に対するチャンネル検索とアナログ放送に対するチャンネル検索とを順に行うものが知られている（例えば、特許文献１、参照。）。
かかるテレビジョン受信システムによれば、デジタル放送とアナログ放送の双方について規定するチャンネルマップを作成することができ、双方について選局を行うことができる。
【特許文献１】特開２００３−２１９２８９号公報
【発明の開示】
【発明が解決しようとする課題】
【０００３】
しかしながら、デジタル放送に対するチャンネル検索とアナログ放送に対するチャンネル検索とが一通り終わらない限り、使用者はその検索結果を確認することができないという課題があった。
すなわち、使用者は、チャンネル検索を行い、最も受信可能なチャンネル数が多くなる位置をスマートアンテナの設置位置として決定するのが通常であり、その都度デジタル放送とアナログ放送に対するチャンネル検索を実行していては時間がかかりすぎるという問題があった。
【０００４】
一方、一般的にデジタル放送もアナログ放送も同一地点の放送局から放送電波が発信されていることが多いため、デジタル放送とアナログ放送のいずれか一方に対して最適な位置にアンテナが設置されていれば、もう一方に対しても最適な位置にアンテナが設置されている可能性が高いと考えることができる。すなわち、スマートアンテナの最適位置の決定にはデジタル放送とアナログ放送のいずれか一方について最適化すれば良く、スマートアンテナの最適位置の決定のためにデジタル放送とアナログ放送の双方についてチャンネル検索をすることが自体が無駄な作業となっていた。
【０００５】
本発明は、上記課題にかんがみてなされたもので、スマートアンテナの設置位置の最適化を迅速に行うことができるテレビジョン受信システム、チューナおよびテレビジョン受信方法を提供することを目的とする。
【課題を解決するための手段】
【０００６】
上記目的を達成するため、請求項１にかかる発明では、複数の可変指向方向を有するスマートアンテナと、同スマートアンテナにおける同指向方向を切り換えるアンテナコントロール部と、同スマートアンテナにて受信した周波信号から所望の周波数成分を抽出するチューナ部と、同チューナ部にて抽出されたデジタル信号から映像信号を生成するデジタル再生部と、同チューナ部にて抽出されたアナログ信号から映像信号を生成するアナログ再生部とを備えるチューナとからなるテレビジョン受信システムにおいて、
上記チューナは、上記チューナ部が抽出する周波数帯域をシフトさせつつ、同抽出された周波数成分に含まれるデジタル信号をスキャンすることにより受信可能なチャンネルと、当該チャンネルの受信に好適な上記指向方向を検出するデジタルチャンネル検出手段と、上記チューナ部が抽出する周波数帯域をシフトさせつつ、同抽出された周波数成分に含まれるアナログ信号をスキャンすることにより受信可能なチャンネルと、当該チャンネルの受信に好適な上記指向方向を検出するアナログチャンネル検出手段と、上記デジタルチャンネル検出手段と上記アナログチャンネル検出手段のいずれか一方を実行させる第一の検出実行手段と、上記第一の検出実行手段にて検出されたチャンネル数を使用者に伝達する伝達手段と、使用者による同チャンネル数に満足するか否かの入力を受け付け、満足する場合には、同第一の検出実行手段にて実行されなかった上記デジタルチャンネル検出手段または上記アナログチャンネル検出手段を実行させ、満足しない場合には、使用者に上記スマートアンテナの移動を促し、使用者による同スマートアンテナを移動させたことを確認する入力が受け付けられたとき、再度上記第一の検出実行手段による検出を行わせる第二の検出実行手段と、上記第一の検索実行手段および上記第二の検索実行手段において検出されたチャンネルと周波数と当該チャンネルの受信に好適な上記指向方向との対応関係を上記チューナ部が選局の際に読み出して使用する選局データとして記憶する選局データ記憶手段とを具備する構成としてある。
【０００７】
上記のように構成した請求項１の発明は、スマートアンテナには複数の可変指向方向が設けられる。アンテナコントロール部は複数の上記指向方向のうち上記スマートアンテナに設定するものを切り換える。チューナ部は上記スマートアンテナにて受信した周波信号から所望の周波数成分を抽出し、デジタル再生部は同チューナ部にて抽出されたデジタル信号から映像信号を生成する。一方、アナログ再生部は上記チューナ部にて抽出されたアナログ信号から映像信号を生成する。すなわち、デジタル／アナログの両放送電波から映像を再生することが可能である。
【０００８】
デジタルチャンネル検出手段は、上記チューナ部が抽出する周波数帯域をシフトさせる。そして、その際に抽出された周波数成分に含まれるデジタル信号をスキャンすることにより受信可能なチャンネルと、当該チャンネルの受信に好適な上記指向方向とを検出する。一方、アナログチャンネル検出手段も同様に、上記チューナ部が抽出する周波数帯域をシフトさせ、その際に抽出された周波数成分に含まれるアナログ信号をスキャンすることにより受信可能なチャンネルと、当該チャンネルの受信に好適な上記指向方向を検出する。上記第一の検出実行手段は上記デジタルチャンネル検出手段と上記アナログチャンネル検出手段のいずれか一方を実行させる。このとき、使用者にどちらの検出手段を実行させるかを入力させても良いし、使用者の意思に拘わらず一方を強制的に実行させるようにしても良い。
【０００９】
伝達手段は上記第一の検出実行手段にて検出されたチャンネル数を使用者に伝達する。すなわち、上記デジタルチャンネル検出手段と上記アナログチャンネル検出手段のいずれかにより検出されたアナログ放送のチャンネル数またはデジタル放送のチャンネル数を使用者に伝達する。第二の検出実行手段は、使用者による同チャンネル数に満足するか否かの入力を受け付ける。そして、満足するという入力がされた場合には、同第一の検出実行手段にて実行されなかった上記デジタルチャンネル検出手段または上記アナログチャンネル検出手段を実行させる。一方、満足しないという入力がされた場合には、使用者に上記スマートアンテナの移動を促す。さらに、同スマートアンテナを移動させたことを確認する入力が使用者によってされたとき、再度上記第一の検出実行手段による検出を行わせる。すなわち、上記第一の検出実行手段で実行したチャンネル検出手段を再び実行させる。
【００１０】
選局データ記憶手段は、上記第一の検索実行手段および上記第二の検索実行手段において検出されたチャンネルと周波数と当該チャンネルの受信に好適な上記指向方向との対応関係を選局データとして記憶する。この選局データは、上記チューナ部が選局の際に読み出して使用するものである。すなわち、デジタル／アナログのいずれか一方についてチャンネル数が得られた時点で使用者にチャンネル数を伝達することができ、無駄なチャンネル検出手段を続行させなくて済む。
【００１１】
ここで、本発明のテレビジョン受信システムの構成要素は単独の機器に備えられるものであっても良いし、他の機器に備えられるものであっても良い。例えば、テレビジョン受信システムボックス等のセットトップボックスに単独で本発明の構成要素を備えさせても良いし、テレビジョンやビデオ等に本発明の構成要素を複合的に備えさせても良い。
【００１２】
また、請求項２にかかる発明は、複数の可変指向方向を有するスマートアンテナと、同スマートアンテナにおける同指向方向を切り換えるアンテナコントロール部と、同スマートアンテナにて受信した周波信号から所望の周波数成分を抽出するチューナ部と、同チューナ部にて抽出されたデジタル信号から映像信号を生成するデジタル再生部と、同チューナ部にて抽出されたアナログ信号から映像信号を生成するアナログ再生部とを備えるチューナとからなるテレビジョン受信システムにおいて、
上記チューナは、上記チューナ部が抽出する周波数帯域をシフトさせつつ、同抽出された周波数成分に含まれるデジタル信号をスキャンすることにより受信可能なチャンネルを検出するデジタルチャンネル検出手段と、上記チューナ部が抽出する周波数帯域をシフトさせつつ、同抽出された周波数成分に含まれるアナログ信号をスキャンすることにより受信可能なチャンネルを検出するアナログチャンネル検出手段と、上記デジタルチャンネル検出手段と上記アナログチャンネル検出手段のいずれか一方を実行させる第一の検出実行手段と、上記第一の検出実行手段にて検出された検出結果を使用者に伝達する伝達手段と、使用者による同検出結果に満足するか否かの入力を受け付け、満足する場合には、同第一の検出実行手段にて実行されなかった上記デジタルチャンネル検出手段または上記アナログチャンネル検出手段を実行させる第二の検出実行手段とを具備する構成としてある。
【００１３】
上記のように構成した請求項２の発明は、スマートアンテナには複数の可変指向方向が設けられる。アンテナコントロール部は複数の上記指向方向のうち上記スマートアンテナに設定するものを切り換える。チューナ部は上記スマートアンテナにて受信した周波信号から所望の周波数成分を抽出し、デジタル再生部は同チューナ部にて抽出されたデジタル信号から映像信号を生成する。一方、アナログ再生部は上記チューナ部にて抽出されたアナログ信号から映像信号を生成する。すなわち、デジタル／アナログの両放送電波から映像を再生することが可能である。
【００１４】
デジタルチャンネル検出手段は、上記チューナ部が抽出する周波数帯域をシフトさせる。そして、その際に抽出された周波数成分に含まれるデジタル信号をスキャンすることにより受信可能なチャンネルを検出する。一方、アナログチャンネル検出手段も同様に、上記チューナ部が抽出する周波数帯域をシフトさせ、その際に抽出された周波数成分に含まれるアナログ信号をスキャンすることにより受信可能なチャンネルを検出する。上記第一の検出実行手段は上記デジタルチャンネル検出手段と上記アナログチャンネル検出手段のいずれか一方を実行させる
【００１５】
伝達手段は上記第一の検出実行手段にて検出された検出結果を使用者に伝達する。すなわち、上記デジタルチャンネル検出手段と上記アナログチャンネル検出手段のいずれかにより検出されたアナログ放送またはデジタル放送についての検出結果を使用者に伝達する。第二の検出実行手段は、使用者による同チャンネル数に満足するか否かの入力を受け付ける。そして、満足するという入力がされた場合には、同第一の検出実行手段にて実行されなかった上記デジタルチャンネル検出手段または上記アナログチャンネル検出手段を実行させる。すなわち、デジタル／アナログのいずれか一方について検出結果が得られた時点で使用者に検出結果を伝達することができ、無駄なチャンネル検出手段を続行させなくて済む。
【００１６】
さらに、請求項３にかかる発明は、上記伝達手段は上記第一の検出実行手段にて検出されたチャンネル数を使用者に伝達するとともに、
上記第二の検出実行手段は、使用者による同チャンネル数に満足するか否かの入力を受け付け、満足する場合には、同第一の検出実行手段にて実行されなかった上記デジタルチャンネル検出手段または上記アナログチャンネル検出手段を実行させる構成としてある。
【００１７】
上記のように構成した請求項３の発明は、上記伝達手段によって上記第一の検出実行手段にて検出されたチャンネル数を使用者に伝達することができる。そして、このチャンネル数に満足する場合のみ上記第一の検出実行手段にて実行されなかった上記デジタルチャンネル検出手段または上記アナログチャンネル検出手段を続行する。
【００１８】
また、請求項４にかかる発明は、上記第二の検出実行手段は、使用者による同チャンネル数に満足するか否かの入力を受け付け、満足しない場合には使用者に上記スマートアンテナの移動を促す構成としてある。
【００１９】
上記のように構成した請求項４の発明は、使用者が上記第一の検出実行手段にて検出された上記チャンネル数に満足しない場合には、その時点で使用者に上記スマートアンテナの移動を促すことができる。
【００２０】
さらに、請求項５にかかる発明は、上記第二の検出実行手段が使用者に上記スマートアンテナの移動を促した場合に、同第二の検出実行手段は使用者による同スマートアンテナを移動させたことを確認する入力を受け付け、同確認する入力が受け付けられたとき、再度上記第一の検出実行手段による検出を行う構成としてある。
上記のように構成した請求項５の発明は、使用者が上記第一の検出実行手段にて検出された上記チャンネル数に満足せず、使用者に上記スマートアンテナの移動を促した場合に、同第二の検出実行手段は使用者による同スマートアンテナを移動させたことを確認する入力を受け付ける。そして、移動させたことを確認する入力が受け付けられたとき、再度上記第一の検出実行手段による検出を行う。すなわち、上記スマートアンテナの位置を変えて再度チャンネル検索をやり直すことができる。
【００２１】
また、請求項６にかかる発明は、スキャンに要する時間の短い上記デジタルチャンネル検出手段または上記アナログチャンネル検出手段を実行させる構成としてある。
上記のように構成した請求項６の発明は、スキャンに要する時間の短い上記デジタルチャンネル検出手段または上記アナログチャンネル検出手段が上記第一の検索実行手段によって選択される。すなわち、チャンネルのスキャンに長い時間を要する方を、使用者が満足した場合にのみ実行させることができ、無駄な時間を省くことができる。
【００２２】
また、請求項７にかかる発明は、上記第一の検索実行手段および上記第二の検索実行手段において検出されたチャンネルと周波数との対応関係を上記チューナ部が選局の際に読み出して使用する選局データとして記憶する選局データ記憶手段を具備する構成としてある。
上記のように構成した請求項７の発明は、選局データ記憶手段は、上記第一の検索実行手段および上記第二の検索実行手段において検出されたチャンネルと周波数との対応関係を選局データとして記憶する。この選局データは、上記チューナ部が選局の際に読み出して使用するものである。
【００２３】
さらに、請求項８にかかる発明は、上記デジタルチャンネル検出手段は、上記チューナ部が抽出する周波数帯域をシフトさせつつ、同抽出された周波数成分に含まれるデジタル信号をスキャンすることにより受信可能なチャンネルと、当該チャンネルの受信に好適な上記指向方向を検出するとともに、
上記アナログチャンネル検出手段は、上記チューナ部が抽出する周波数帯域をシフトさせつつ、同抽出された周波数成分に含まれるアナログ信号をスキャンすることにより受信可能なチャンネルと、当該チャンネルの受信に好適な上記指向方向を検出する構成としてある。
【００２４】
上記のように構成した請求項８の発明は、上記デジタルチャンネル検出手段および上記アナログチャンネル検出手段はそれぞれ受信可能なチャンネルと、当該チャンネルの受信に好適な上記指向方向を検出する。すなわち、当該チャンネルの放送電波の入射方向と合致する上記指向方向を検出する。
【００２５】
また、請求項９にかかる発明は、上記選局データ記憶手段は、上記第一の検索実行手段および上記第二の検索実行手段において検出されたチャンネルと周波数と当該チャンネルの受信に好適な上記指向方向との対応関係を上記選局データとして記憶する構成としてある。
【００２６】
上記のように構成した請求項９の発明は、選局データ記憶手段は、上記第一の検索実行手段および上記第二の検索実行手段において検出されたチャンネルと周波数と当該チャンネルの受信に好適な上記指向方向との対応関係を選局データとして記憶する。この選局データは、上記チューナ部が選局の際に読み出して使用するものである。これにより、最適な上記指向方向に設定して当該チャンネルの放送電波を受信することができる。
【００２７】
上述したようなスマートアンテナを用いて放送電波を受信する手法は必ずしも実体のある装置に限られるものではなく、請求項１１に記載した発明のように方法の発明としても有効である。また、上述したテレビジョン受信システムは単独で存在する場合もあるし、ある機器に組み込まれた状態で利用されることもあるなど、発明の思想としては、各種の態様を含むものである。例えば、請求項１０のようにチューナとしても本発明を実現することが可能である。また、ソフトウェアであったりハードウェアであったりするなど、適宜、変更可能である。
【発明の効果】
【００２８】
以上説明したように、請求項１、請求項２、請求項１０および請求項１１にかかる発明によれば、不必要にデジタル／アナログの双方についてチャンネル検索を行わなくて済むため、短時間でスマートアンテナの設置位置の最適化をすることができる。
請求項３にかかる発明によれば、満足できるチャンネル数となる位置にスマートアンテナを設置することができる。
請求項４にかかる発明によれば、スマートアンテナの設置位置の変更を促すことができる。
請求項５にかかる発明によれば、スキャンに時間のかかるアナログチャンネル検出を極力行わせないようにすることができる。
【００２９】
請求項６にかかる発明によれば、デジタル放送電波を良好な受信状態で受信することができる。
請求項７にかかる発明によれば、以降の選局にスムーズに行うことができる。
請求項８にかかる発明によれば、最適な指向方向を検出することができる。
請求項９にかかる発明によれば、選局したチャンネル毎にスマートアンテナの指向性を合致させることができる。
【発明を実施するための最良の形態】
【００３０】
以下、下記の順序に従って本発明の実施形態を説明する。
（１）テレビジョン受信システムの構成：
（２）スマートアンテナ設置作業：
（３）変形例：
（４）まとめ：
【００３１】
図１は、本発明にかかるテレビジョン受信システムの概略構成を示している。同図において、テレビジョン３０が備えられており、同テレビジョン３０と図示しないケーブルで接続された略矩形箱状のコントロールユニット２０が備えられている。コントロールユニット２０はいわゆるセットトップボックスであり、テレビジョン３０と接続可能な限り任意の位置に設置することができる。コントロールユニット２０にはアンテナケーブル１６が接続されており、アンテナケーブル１６を介してコントロールユニット２０とスマートアンテナユニット１０とが接続している。
【００３２】
スマートアンテナユニット１０は床面に安定して設置するための脚部１７を有しており、同脚部から略円柱状の柱部１８が略鉛直に立設している。同柱部１８の上端には略円盤状のアンテナ保持部１９が保持されている。アンテナ保持部１９は略水平とされており、その側面からは４本の棒状指向性アンテナ１１，１１，１１，１１が外側に向かって放射状に突出している。互いに隣接する指向性アンテナ１１同士がなす角度はそれぞれ９０度とされているため、指向性アンテナ１１，１１，１１，１１はアンテナ保持部１９の側面の円周方向に均等に配設されていることとなる。また、指向性アンテナ１１，１１，１１，１１は、それぞれ伸長可能であり使用者が適宜引き出して使用することが可能となっている。
【００３３】
指向性アンテナ１１，１１，１１，１１はそれぞれ独立して放送電波を受信することが可能であり、それぞれ軸方向外側の方向に対して受信感度が高いものとなっている。すなわち、それぞれ軸方向外側の方向に対して受信感度が高い４本の指向性アンテナ１１，１１，１１，１１をアンテナ保持部１９の周方向に均等に配置することにより、全方向に対して受信感度が良好なアンテナを構成することができる。かかる構成により、地上波のテレビジョン放送電波がスマートアンテナユニット１０のいずれの方向から発信されたとしても、いずれかの指向性アンテナ１１，１１，１１，１１にて放送電波を受信することができる。すなわち、スマートアンテナユニット１０が受信可能な放送電波の方向に指向性をなくすことができるため、より多くの放送局から発信されるテレビジョン放送電波を受信することができ、より多くのチャンネルを楽しむことが可能となる。
【００３４】
ただし、常時、全方向から放送電波を受信可能とすると、所望の放送局から発信される放送電波以外の方向から発信されるノイズ電波も受信してしまうこととなるため、受像するチャンネルに応じて受信可能とする指向方向を限定するような制御を行うものとしている。また、各指向性アンテナ１１，１１，１１，１１から入力される位相量をそれぞれ制御し、合成することにより、細かい指向方向の切換を行っている。以下、スマートアンテナユニット１０の内部構成について説明する。
【００３５】
図２は、スマートアンテナユニット１０の内部構成を概念的に示している。同図において、４本の指向性アンテナ１１，１１，１１，１１がそれぞれ位相器１２，１２，１２，１２と接続されている。位相器１２，１２，１２，１２は指向性アンテナ１１，１１，１１，１１から入力される信号の位相量をそれぞれ制御することができる回路であり、コントロールユニット２０から出力されるバイアス電圧に応じて位相を遅らすことが可能となっている。位相器１２，１２，１２，１２にて位相量が制御された信号は合成器１４に入力され、同合成器１４にて合成される。合成器１４にて合成された信号はブースター回路１３に入力され、増幅される。
【００３６】
このように、４本の指向性アンテナ１１，１１，１１，１１から入力された信号の位相を可変させつつ合成させることにより、４本の指向性アンテナ１１，１１，１１，１１が軸方向のみならず任意の方向に指向性を持つようにすることができる。すなわち、各位相器１２，１２，１２，１２の位相量を適当な値に設定することにより、スマートアンテナユニット１０により形成される主ビームの方向を任意の方向とすることができる。
【００３７】
図３は、コントロールユニット２０の内部構成を概念的に示している。同図において、コントロールユニット２０は、スマートアンテナユニット１０における各位相器１２，１２，１２，１２の位相量を制御するアンテナコントロール部２１と、スマートアンテナユニット１０から周波信号を入力するチューナ部２２とを備えている。コントロールユニット２０はＣＰＵ２８ａの指令にしたがってスマートアンテナユニット１０に設定する指向方向を切り換えるための信号を生成する。具体的には、各位相器１２，１２，１２，１２に出力するバイアス電圧を可変させることにより、スマートアンテナユニット１０における指向方向を可変させている。コントロールユニット２０は各位相器１２，１２，１２，１２に出力するバイアス電圧の組み合わせを記憶させるための図示しないＲＯＭを備えている。このバイアス電圧の組み合わせは１６パターン記憶されており、コントロールユニット２０はＣＰＵ２８ａの指令にしたがっていずれかのパターンを各位相器１２，１２，１２，１２に出力する。
【００３８】
すなわち、以上の構成によりスマートアンテナユニット１０は１６とおりの指向方向を実現することが可能となる。図４は、上記１６パターンの指向方向を表している。同図において、アンテナ保持部１９を中心として放射状に均一な１６方位の指向方向を設定することが可能となっている。すなわち、隣接し合う指向方向の角度差は３６０／１６＝２２．５度で、均等となっている。このように、アンテナ保持部１９を中心として均等に指向方向を設定することにより、いずれの方向から入射する放送電波にも追従することができる。なお、紙面上方の指向方向をパターンＤ１とし、時計回りにパターンＤ２，Ｄ３，Ｄ４・・・Ｄ１６と識別するものと定義する。
【００３９】
図３に示すチューナ部２２は、いわゆるシンセサイザ方式のテレビジョン受信システムの構成とされ、選局制御信号としてＰＬＬデータ、すなわち、ＰＬＬループにおける可変分周回路の分周比のデータがチューナ部２２に与えられる。また、チューナ部２２では、ＣＰＵ２８ａからの選局制御信号としてのＰＬＬデータを受けて、入力された周波信号から所望の周波数帯域の周波信号を抽出することにより、複数のチャンネルの中から一つのチャンネルを選択する。ＣＰＵ２８ａはチューナ部２２における周波数のずれを検出し、この検出結果に基づいてＡＦＴ電圧をチューナ部２２に供給する。そして、チューナ部２２がＡＦＴ電圧に応じて、抽出する周波数帯域を補正することにより、最適な選局が行われるようになっている。
【００４０】
チューナ部２２の出力は、デジタル再生部２３とアナログ再生部２４のいずれかに供給される。すなわち、本実施形態にかかるコントロールユニット２０は、デジタル放送とアナログ放送の双方を再生することが可能となっている。デジタル再生部２３は、デジタルＩ／Ｆ２３ａと復調回路２３ｂとデスクランブル部２３ｃとデマルチプレックス部２３ｄとＭＰＥＧデコーダ２３ｇとから構成されている。チューナ部２２から周波信号が入力されるデジタルＩ／Ｆ２３ａにはＡ／Ｄコンバータが備えられており、このデジタルＩ／Ｆ２３ａから信号の供給を受ける復調部には、チャンネルイコライザ、エラー訂正デコード部等も備えられている。
【００４１】
すなわち、デジタルＩ／Ｆ２３ａと復調回路２３ｂは、チューナ部２２から入力される周波信号をデジタル信号に変換するとともに、ＣＰＵ２８ａからの制御情報に基づいてデジタル復調した信号に対していわゆるゴーストキャンセルを行う。さらに、デジタルＩ／Ｆ２３ａと復調回路２３ｂは、伝送路上で発生したビット誤りを訂正し、トランスポートストリーム（ＴＳ）出力を得る。なお、以上の処理において復調回路２３ｂは、全体のデータに対する上記ビット誤りの割合をエラーレートとして検出している。
【００４２】
また、復調回路２３ｂにて復調およびエラー訂正処理を行うことにより得られたトランスポートストリームはデスクランブル部２３ｃに供給される。トランスポートストリームは、通常、スクランブルがかかっているため、このままでは適正に映像・音声を再生することはできない。そこで、デスクランブル部２３ｃがトランスポートストリームに対してデ・スクランブル処理を行うことにより、トランスポートストリームを再生可能なデータ配列に復元する。デ・スクランブル処理が行われたトランスポートストリームは、映像信号や音声信号や文字情報等が多重化された形式となっており、デマルチプレックス部２３ｄに供給される。デマルチプレックス部２３ｄでは入力されたデータに対してデ・マルチプレックス処理を行う。すなわち、ここで多重化が解除される。なお、デスクランブル部２３ｃとデマルチプレックス部２３ｄとはそれぞれの処理を行う際にワークエリアとしてＤＲＡＭ２３ｅを利用することが可能である。
【００４３】
デ・マルチプレックス処理にて多重化が解除されると、映像信号および音声信号が所定の方式により圧縮されたＭＰＥＧデータと、例えば番組に関する文字情報といった映像信号や音声信号以外のデータに分離され、後者のデータはＣＰＵ２８ａに供給される。また、所定の周波数帯において複数のチャンネルのＭＰＥＧデータが多重化されて搬送される場合においては、これらについても多重化を解除される。前者のＭＰＥＧデータはＭＰＥＧデコーダ２３ｇに供給され、同ＭＰＥＧデコーダ２３ｇにて圧縮解凍処理、つまりＭＰＥＧデコード処理が行われる。ＭＰＥＧデータをＭＰＥＧデコード処理することにより、デジタル映像信号とデジタル音声信号とが生成され、同生成されたデジタル映像信号はさらにアナログの映像信号に変換される。
【００４４】
ＭＰＥＧデコーダ２３ｇはＯＳＤ処理部２３ｈを備えており、映像に所定の静止画面を重ねて表示したり、所定の静止画像を差し替えて表示するなどの処理も行うことができるようにされている。ＯＳＤ処理部２３ｈは受信された文字情報等のデータをＣＰＵ２８ａから入力し、同文字情報等のデータに基づいて静止画像等を生成することが可能となっている。
【００４５】
なお、ＭＰＥＧデコーダ２３ｇはＭＰＥＧデコード処理やＯＳＤ処理を行う際にワークエリアとしてＤＲＡＭ２３ｆを利用することが可能である。このように、ＭＰＥＧデコーダ２３ｇは圧縮解凍処理を実行可能であるとともに、ＯＳＤ処理部２３ｈにてグラフィックス処理を実行可能になっている。そして、圧縮解凍・アナログ変換された映像信号は映像出力部２６に供給され、同映像出力部２６にて同映像信号がテレビジョン３０に出力される。テレビジョン３０に対してアナログ映像信号を出力する方式としては、コンポジット出力やＳーＶｉｄｅｏ出力等の各種方式を採用することができる。
【００４６】
一方、ＭＰＥＧデコード処理により生成された音声信号は、Ｄ／Ａ変換部２５に入力され、同Ｄ／Ａ変換部２５にてアナログ音声信号に変換される。このアナログ音声信号は音声出力部２７に入力され、同音声出力部２７からテレビジョン３０に出力される。ただし、テレビジョン３０がオプティカル入力端子等を備え、デジタル音声信号を受け付けることができれば、Ｄ／Ａ変換部２５を介することなくデジタル音声信号をそのままテレビジョン３０に出力させても良い。
【００４７】
一方、アナログ再生部２４は、アナログＩ／Ｆ２４ａと復調回路２４ｂとＮＴＳＣデコーダ２４ｄと音声デコーダ２４ｅとから構成されている。アナログＩ／Ｆ２４ａと復調回路２４ｂは、チューナ部２２から入力される中間周波信号を増幅させるＡＧＣ回路２４ｂ１を備えている。ＡＧＣ回路２４ｂ１における中間周波信号の増幅率はＡＧＣ電圧により規定されており、同ＡＧＣ電圧は同ＡＧＣ回路２４ｂ１にて増幅された中間周波信号の振幅レベルに応じて変動する。すなわち、ＡＧＣ回路２４ｂ１はＡＧＣ電圧をフィードバック信号として中間周波信号を増幅させている。
【００４８】
具体的に、増幅された中間周波信号が強い場合には増幅率を低下させるべくＡＧＣ電圧を低下させ、増幅された中間周波信号が弱い場合には増幅率を増加させるべくＡＧＣ電圧を増加させる。すなわち、本実施形態においてＡＧＣ電圧が高いほどチューナ部２２から入力される中間周波信号が弱いと言える。これにより、増幅された中間周波信号の振幅レベルをほぼ一定とすることができるため、各チャンネル間で再現される色に違いがないようにすることができる。また、ＡＧＣ電圧は増幅された中間周波信号を所定の基準電圧と比較することにより生成されているため、増幅後の中間周波信号の振幅レベルは理想的な値を維持することができる。ＡＧＣ電圧はＣＰＵ２８ａに出力されており、同出力されたＡＧＣ電圧に基づいてＣＰＵ２８ａが各種制御を実行させる。
【００４９】
復調回路２４ｂは復調した中間周波信号を分離することにより、ＮＴＳＣ形式のアナログ映像信号とアナログ音声信号とを生成する。同生成されたアナログ映像信号はＮＴＳＣデコーダ２４ｄに入力され、同ＮＴＳＣデコーダ２４ｄにてＣＣＩＲ６５６形式のデジタル映像信号に変換される。なお、ＮＴＳＣ形式はアナログテレビジョン信号の標準形式であり、色を再現するための信号と１５．７５ｋＨｚの水平同期信号と６０Ｈｚの垂直同期信号等が含まれる。復調回路２４ｂには水平同期信号と垂直同期信号とを抽出するための同期分離回路２４ｂ２が備えられており、同期分離回路２４ｂ２が抽出した水平同期信号と垂直同期信号に基づいて、ＮＴＳＣデコーダ２４ｄが同期の取れたデジタル映像信号を生成することが可能とされている。なお、ＣＣＩＲ６５６形式はＹＵＶの各要素がデジタル階調で表現されるデジタル映像信号の形式である。一方、復調回路２４ｂにて分離されたアナログ音声信号は音声デコーダ２４ｅに供給され、同音声デコーダ２４ｅにて左右独立したステレオ音声信号に分離される。
【００５０】
ＮＴＳＣデコーダ２４ｄにて生成されたデジタル映像信号は、ＭＰＥＧデコーダ２３ｇに入力され、上述と同様にＯＳＤ処理やアナログ変換が行われる。そして、アナログ変換された映像信号は映像出力部２６に供給され、同映像出力部２６からテレビジョン３０に出力される。一方、音声信号が音声出力部２７に入力され、同音声出力部２７からテレビジョン３０に出力される。
【００５１】
上述したＣＰＵ２８ａはバス２９に接続されており、バス２９に接続されたＲＡＭ２８ｂをワークエリアとしながら、当該コントロールユニット２０の各種機能を実現するための制御処理を実行する。この制御処理を実行するプログラムは、予めＲＯＭ２８ｃに格納されており、ＣＰＵ２８ａは、適宜ＲＯＭ２８ｃから所定のプログラムをＲＡＭ２８ｂに読み込みつつ制御処理を実行することになる。また、バス２９には書き換え可能なＥＥＰＲＯＭ２８ｄが備えられており、ＣＰＵ２８ａはＥＥＰＲＯＭ２８ｄに記憶された各種データを使用して制御処理を実行する。
【００５２】
ＥＥＰＲＯＭ２８ｄに記憶されるデータの一例として、選局データ２８ｄ１が記憶されている。図５は、この選局データ２８ｄ１の一例を示している。選局データ２８ｄ１は、リモコン送信機４０等にて指定可能なチャンネル番号と、チューナ部２２にて抽出を行う周波数帯域と、受信に好適な指向方向Ｄ１〜Ｄ１６とが対応づけられたテーブルであり、ＣＰＵ２８ａが同テーブルを参照することにより指定されたチャンネル番号に対応した周波数帯域と受信に使用する指向方向Ｄ１〜Ｄ１６を特定することが可能となっている。なお、本実施形態においてチューナ部２２はシンセサイザ方式を採用しているため、チャンネル番号と分周比のデータとの対応関係が選局データ２８ｄ１として記憶されている。
【００５３】
このような選局データ２８ｄ１として、予め最適な組み合わせを記憶しておくことにより、最適な条件で各チャンネルを受像することができる。チャンネル番号毎に放送電波の発信局が異なり、スマートアンテナユニット１０に対してチャンネル番号毎に異なる方向から放送電波が入射することが考えられる。従って、チャンネル番号に応じて指向性が合致する指向方向Ｄ１〜Ｄ１６を予め設定しておくことは、良好な受信品質を確保するために重要である。最適な指向方向Ｄ１〜Ｄ１６を特定する情報は、ＣＰＵ２８ａを通じてアンテナコントロール部２１に供給され、これに基づいて各位相器１２，１２，１２，１２にバイアス電圧が出力される。ここで、最適な指向方向Ｄ１〜Ｄ１６とは、原則的に受像するチャンネル番号に対応する放送電波の放送局が存在する方向と一致する指向方向Ｄ１〜Ｄ１６である。すなわち、放送局が存在する方向と一致する方向の指向方向Ｄ１〜Ｄ１６を設定することにより、強い放送電波を受信すること可能となるとともに、他方向からのノイズ電波の影響を受けにくくすることができる。
【００５４】
また、ＥＥＰＲＯＭ２８ｄにはＯＳＤ処理部２３ｈにてＯＳＤ画像を生成するためのＯＳＤデータ２８ｄ２が記憶されている。ＣＰＵ２８ａはリモコン送信機４０からの指令や各回路の動作状況等に応じて、適宜、ＯＳＤデータ２８ｄ２を読み出して、ＯＳＤ処理部２３ｈにＯＳＤデータ２８ｄ２を供給する。例えば、ＣＰＵ２８ａが使用者に対して警告が必要であると判断すると、警告画面が生成可能なＯＳＤデータ２８ｄ２を読み出して、ＯＳＤ処理部２３ｈに警告画面を映像に組み込むよう指令する。また、ＥＥＰＲＯＭ２８ｄにはスマートアンテナユニット１０の設置位置を特定するための住所情報が格納された住所データ等が記憶されている。このようなデータは、リモコンＩ／Ｆ２８ｅやバスＩ／Ｆ２８ｆやＩＣカードＩ／Ｆ２８ｇやＬＡＮＩ／Ｆ２８ｈを介して入力され、ＥＥＰＲＯＭ２８ｄに記憶される。
【００５５】
バス２９にはリモコン送信機Ｉ／Ｆ２８ｅが接続されており、外部機器としてのリモコン送信機４０から出力される赤外線明滅信号を入力可能になっている。この赤外線明滅信号はバス２９を介してＣＰＵ２８ａに送出され、ＣＰＵ２８ａは対応する制御処理を実行する。また、バス２９には外部機器とケーブルを介して接続するためのバスＩ／Ｆ２８ｆと、ＩＣカードとデータを授受するためのＩＣカードＩ／Ｆ２８ｇとＬＡＮ規格に準拠した外部機器と通信を行うためのＬＡＮＩ／Ｆ２８ｈが接続されている。バスＩ／Ｆ２８ｆおよびＩＣカードＩ／Ｆ２８ｇから読み取った情報は、バス２９を介してＣＰＵ２８ａに送出され、ＣＰＵ２８ａにて所定の処理が行われる。
【００５６】
（２）スマートアンテナ設置作業：
図６は、スマートアンテナ設置作業の流れを示している。同図において、スマートアンテナ設置作業を開始させると、まずステップＳ１００にてコントロールユニット２０がテレビジョン３０に所定の画像データを出力し、テレビジョン３０に画像を表示させる。この画像には、デジタルチャンネル（Ｃｈ）とアナログチャンネル（Ｃｈ）のどちらをスキャンしますかというメッセージが表示される。具体的には、この画像を表示させるためのＯＳＤデータ２８ｄ２が予めＥＥＰＲＯＭ２８ｄに記憶されており、ＯＳＤ処理部２３ｈが同ＯＳＤデータ２８ｄ２を画像データに組み込むことにより、同画像が出力される。なお、ＯＳＤデータ２８ｄ２はＲＯＭ２８ｃに記憶されていても良い。ＣＰＵ２８ａは、リモコンＩ／Ｆ２８ｅを介して使用者によるスマートアンテナ設置作業の開始の指示を受け付け、上記画像を表示するための指令を各部に出力する。
【００５７】
また、ステップＳ１００では上記画像を出力するとともに、使用者の選択を受け付けている。使用者がリモコン送信機４０を利用して、デジタルＣｈを選択すると、スマートアンテナユニット１０とコントロールユニット２０はデジタルＣｈについてスキャンを実行させる。一方、アナログＣｈが選択されると、スマートアンテナユニット１０とコントロールユニット２０はアナログＣｈについてスキャンを実行させる（第一の検出実行工程）。デジタルＣｈおよびアナログＣｈのスキャンにあたっては、チューナ部２２が抽出する周波信号の周波数を全域にわたってシフトさせていく。全域にわたってシフトさせれば良く、周波数を徐々に増減させても良いし、ランダムに周波数をシフトさせても良い。  
【００５８】
また、各周波数においてスマートアンテナユニット１０に設定する指向方向Ｄ１〜Ｄ１６を順に切り換えていくことにより、各指向方向Ｄ１〜Ｄ１６に対する各周波数の受信状態を検出する。そして、各周波数においていずれの指向方向Ｄ１〜Ｄ１６に設定しても所定の条件を満たす信号が検出されない場合には、当該周波数においては受信可能なチャンネルがないと判断される。一方、各周波数においていずれかの指向方向Ｄ１〜Ｄ１６に設定したときに所定の条件を満たす信号が検出される場合には、当該周波数において受信可能なチャンネルが存在すると判断する。このような判断を全周波数領域において行うことにより、全周波数領域において受信可能なチャンネルが判明する（デジタル／アナログチャンネル検出工程）。
【００５９】
なお、各周波数において受信可能なチャンネルが存在すると判断するための上記所定の条件は種々のものを採用することができる。例えば、アナログＣｈのスキャンにおいては信号強度やＡＧＣ電圧や同期信号の有無等を上記所定の条件として採用することができる。一方、アナログＣｈのスキャンにおいては信号強度やＡＧＣ電圧やエラーレート等を上記所定の条件として採用することができる。また、例えば信号強度を上記所定の条件とした場合には、各周波数において各指向方向Ｄ１〜Ｄ１６の設定時にて受信される信号強度を比較する。そして、最も理想的な信号強度となる指向方向Ｄ１〜Ｄ１６を当該周波数のチャンネルを受信するための最も好適な指向方向Ｄ１〜Ｄ１６であると特定する。
【００６０】
以上において検出されたチャンネルと、同チャンネルに対応する周波数と、同チャンネルの受信に最も好適な指向方向Ｄ１〜Ｄ１６とを示すデータがＲＡＭ２８ｂあるいはＥＥＰＲＯＭ２８ｄに一時的に記憶される。従って、ＣＰＵ２８ａがこの一時データを参照することにより、デジタルＣｈ／アナログＣｈのいずれかについて検出されたチャンネル数を特定することが可能となっている。
【００６１】
次に、ステップＳ１３０では、コントロールユニット２０がテレビジョン３０に所定の画像データを出力し、テレビジョン３０にステップＳ１１０あるいはステップＳ１２０で検出されたチャンネル数を表す画像を表示させる（伝達工程）。この画像の表示においても上記と同様にＯＳＤデータ２８ｄ２とＯＳＤ処理部２３ｈとが供される。また、この画像にはチャンネル数とともに同チャンネル数で使用者が満足するか否かを問うメッセージが表示される。なお、このメッセージおよびチャンネル数は必ずしも映像によって伝達する必要はなく、音声によって伝達するようにしても良い。
【００６２】
ステップＳ１４０では上記メッセージに対する使用者の応答を受け付けている。ここでも、リモコンＩ／Ｆ２８ｅを介して応答が受け付けられるものとする。ここで、使用者が上記チャンネル数で満足すると入力した場合には、ステップＳ１５０にて前回実行しなかったデジタルＣｈ／アナログＣｈのスキャンを実行する。例えば、前回ステップＳ１１０にてデジタルＣｈのスキャンを実行していれば、今回ステップＳ１５０ではアナログＣｈのスキャンが実行されることとなる。反対に、前回ステップＳ１２０にてアナログＣｈのスキャンを実行していれば、今回ステップＳ１５０ではデジタルＣｈのスキャンが実行されることとなる。なお、ステップＳ１５０におけるデジタルＣｈ／アナログＣｈのスキャンは上述したのものと同様であるため説明を省略する。
【００６３】
ステップＳ１５０を実行することにより、デジタルＣｈ／アナログＣｈの双方について検出されたチャンネルと、同チャンネルに対応する周波数と、同チャンネルの受信に最も好適な指向方向Ｄ１〜Ｄ１６とを取得することができる。ステップＳ１６０では、ステップＳ１５０およびステップＳ１１０またはステップＳ１２０にて取得した検出チャンネルと、同チャンネルに対応する周波数と、同チャンネルの受信に最も好適な指向方向Ｄ１〜Ｄ１６とを示す対応関係データをデジタルＣｈ／アナログＣｈの双方について選局データ２８ｄ１に格納する（選局データ記憶工程）。これにより、図５に示すような選局データ２８ｄ１を形成することができる。従って、これ以降はデジタルＣｈ／アナログＣｈのいずれについてもチューナ部２２が選局データ２８ｄ１を参照することができるため、スムーズに選局を行うことが可能となる。
【００６４】
一方、ステップＳ１４０にて使用者が上記チャンネル数で満足すると入力した場合には、ステップＳ１７０にてスマートアンテナユニット１０の位置変更を促す画像がＯＳＤデータ２８ｄ２に基づいて出力される。これにより、使用者はスマートアンテナユニット１０の設置位置を変更しない限り、所望のチャンネル数を受信することができないと認識し、スマートアンテナユニット１０の設置位置を変更する。ステップＳ１８０では使用者がスマートアンテナユニット１０の設置位置を変更したかどうかを確認するための入力を受け付ける。すなわち、使用者がスマートアンテナユニット１０の設置位置を変更した場合には、リモコン受信機４０に所定の操作を行うように案内し、同操作が受け付けられるまで待機する。
【００６５】
通常であれば、使用者はスマートアンテナユニット１０の設置位置を変更し、その確認の操作を行うこととなるが、同操作が所定時間内に受け付けられ場合には、スマートアンテナ設置作業を中断させても良い。一方、スマートアンテナユニット１０の設置位置変更の確認操作が受け付けられた場合には、ステップＳ１９０にて、ステップＳ１００で選択した方のデジタルＣｈ／アナログＣｈについてのスキャンを実行する。すなわち、再びステップＳ１１０もしくはステップＳ１２０と同様のスキャンが行われることとなる。ステップＳ１９０が実行されるとステップＳ１３０以降を上記と同様に実行する。
【００６６】
このようにすることにより、デジタルＣｈ／アナログＣｈの一方のみについてのスキャン結果に基づいて、使用者はスマートアンテナユニット１０の設置位置の適否を判断することができる。すなわち、使用者はデジタルＣｈ／アナログＣｈ双方についてのスキャン結果を待つ必要はなく、待ち時間を短縮することができる。なお、スマートアンテナユニット１０が同一の位置に設置された条件で、デジタルＣｈ／アナログＣｈそれぞれ受信可能なチャンネル数に大きな傾向の違いがある場合には、デジタルＣｈ／アナログＣｈ個々にスキャンを行うことが望ましい。しかし、デジタルＣｈ／アナログＣｈの放送電波の発信放送局は同一の地点であることが一般的である。従って、デジタルＣｈ／アナログＣｈの一方について満足行くチャンネル数が受信できれば、他方についても満足行くチャンネル数が受信できるものと推定することができる。また、デジタルＣｈ／アナログＣｈ個々にスキャンをした場合に、使用者は双方について受信可能なチャンネル数を記憶したり、再度、別操作により確認しなければなければならず、作業が面倒なものとなる。
【００６７】
（３）変形例：
以上においては、ステップＳ１００にてデジタルＣｈ／アナログＣｈのいずれのスキャンを最初に実行するか選択することができるようにしたが、強制的に一方についてスキャンを実行させるようにしても良い。図７は、その場合のスマートアンテナ設置作業の流れを示している。同図において、スマートアンテナ設置作業を開始すると、そのままステップＳ２１０にてデジタルＣｈについてスキャンが行われるようにされている。デジタルＣｈ／アナログＣｈとではチューナ部２２における抽出手法や復調部２３ａ，２４ａにおける復調手法が異なるため、それぞれスキャンに要する時間が大きく異なることが考えられる。
【００６８】
従って、スキャンに要する時間が短い方をステップＳ２１０にて強制的にスキャンさせることにより、スキャンに要する時間が長い方はステップＳ２４０にて満足する旨の回答が得られた場合にのみ実行させることが可能となる。従って、何度もスマートアンテナユニット１０の設置位置を変更する場合には、スマートアンテナ設置作業に要する時間を大幅に減らすことができる。なお、本実施形態においてはデジタルＣｈについてのスキャンに要する時間が短いものとしたが、スキャン方式によって所要時間の大小関係が逆転する場合もある。その場合は、ステップＳ２１０にて強制的にアナログＣｈについてスキャンが行われるようにすれば良い。
【００６９】
また、上述した実施形態においては、本発明のチューナの機能を実現するコントロールユニット２０とテレビジョン３０とが別装置とされているが、テレビジョン３０がスマートアンテナユニット１０を直接コントロールするようにすることも可能である。図８は、そのための構成を示している。同図において、コントロールユニット２０に備えられていた各種回路はテレビジョン１３０に備えられており、映像信号と音声信号はテレビジョン１３０に備えられるモニタおよびスピーカにそれぞれ出力されている。なお、モニタとして液晶パネルやプラズマパネル等のデジタル表示素子を適用する場合には、デジタル映像信号のままモニタに出力することが可能である。
【００７０】
（４）まとめ：
以上説明したように、本発明において、デジタルＣｈ／アナログＣｈの一方のみについてのスキャン結果に基づいて、使用者はスマートアンテナユニット１０の設置位置の適否を判断することができる。すなわち、使用者はデジタルＣｈ／アナログＣｈ双方についてのスキャン結果を待つ必要はなく、待ち時間を短縮することができる。
【図面の簡単な説明】
【００７１】
【図１】テレビジョン受信システムの外観斜視図である。
【図２】スマートアンテナユニットの回路ブロック図である。
【図３】コントロールユニットの回路ブロック図である。
【図４】指向方向を示す模式図である。
【図５】選局データを示す表である。
【図６】スマートアンテナ設置作業のフローチャートである。
【図７】変形例にかかるスマートアンテナ設置作業のフローチャートである。
【図８】変形例にかかるテレビジョン受信システムの回路ブロック図である。
【符号の説明】
【００７２】
１０…スマートアンテナユニット
１１…指向性アンテナ
１２…位相器
１３…ブースター回路
１４…合成器
１６…アンテナケーブル
１７…脚部
１８…柱部
１９…アンテナ保持部
２０…コントロールユニット
２１…アンテナコントロール部
２２…チューナ部
２３…デジタル再生部
２３ｂ…復調回路
２３ｃ…デスクランブル部
２３ｄ…デマルチプレックス部
２３ｅ，２３ｆ…ＤＲＡＭ
２３ｇ…ＭＰＥＧデコーダ
２３ｈ…ＯＳＤ処理部
２４…アナログ再生部
２４ｂ…復調回路
２４ｂ１…ＡＧＣ回路
２４ｂ２…同期分離回路
２４ｄ…ＮＴＳＣデコーダ
２４ｅ…音声デコーダ
２６…映像出力部
２７…音声出力部
２８ａ…ＣＰＵ
２８ｂ…ＲＡＭ
２８ｃ…ＲＯＭ
２８ｄ…ＥＥＰＲＯＭ
２８ｄ１…選局データ
２９…バス
３０…テレビジョン
４０…リモコン送信機
【図１】
2005354614.tif 000003
【図２】
2005354614.tif 000004
【図３】
2005354614.tif 000005
【図４】
2005354614.tif 000006
【図５】
2005354614.tif 000007
【図６】
2005354614.tif 000008
【図７】
2005354614.tif 000009
【図８】
2005354614.tif 000010